(57)【要約】【課題】所定の口座に対する入金処理に連動して振替処理を行う金融取引処理装置を提供することによって、振替処理要求手続きを省き、振替処理を確実かつ迅速に行うことを課題とする。【解決手段】振替処理要求生成部５は、入金処理要求入力部３により入力された入金処理要求に含まれる入金口座識別情報に対する振替処理条件を振替処理条件記憶部２から読み出し、振替処理条件に基づいて、振替処理要求を生成し、入金処理指示部６は、入金処理要求に基づく入金処理を指示し、振替処理指示部８は、生成した振替処理要求に基づく振替処理を指示する。【選択図】　　　　図１
2004005346.tif 000002
【特許請求の範囲】
【請求項１】
以下の要素を有することを特徴とする金融取引処理装置
（１）取引口座識別情報に対応付けて、振替処理条件を記憶する振替処理条件記憶部
（２）金融業務における取引の取引処理要求を入力する取引処理要求入力部
（３）入力された前記取引処理要求に含まれる取引口座識別情報に対する振替処理条件を振替処理条件記憶部から読み出し、読み出した振替処理条件に基づいて、振替処理要求を生成する振替処理要求生成部
（４）入力された前記取引処理要求に基づく取引処理を指示する取引処理指示部
（５）生成された前記振替処理要求に基づく振替処理を指示する振替処理指示部。
【請求項２】
金融取引処理装置は、更に、
取引口座識別情報を特定して振替処理条件を入力し、特定した取引口座識別情報に対応付けて、入力した振替処理条件を、振替処理条件記憶部に登録する振替処理条件登録部を有することを特徴とする請求項１記載の金融取引処理装置。
【請求項３】
前記取引処理要求は、入金処理要求であって、
前記取引処理は、入金処理であることを特徴とする請求項１記載の金融取引処理装置。
【請求項４】
振替処理条件は、振替処理を連動して行うと判断する為の入金処理に関する条件である入金条件と、振替処理要求を生成する為のルールである振替ルールとを含むことを特徴とする請求項３記載の金融取引処理装置。
【請求項５】
前記入金条件は、入金者を特定する情報を含むことを特徴とする請求項４記載の金融取引処理装置。
【請求項６】
前記入金条件は、入金額に関する条件を含むことを特徴とする請求項４記載の金融取引処理装置。
【請求項７】
前記入金条件は、口座残高に関する条件を含むことを特徴とする請求項４記載の金融取引処理装置。
【請求項８】
前記振替処理要求生成部は、取引口座識別情報を振替元口座識別情報とすることを特徴とする請求項３記載の金融取引処理装置。
【請求項９】
以下の要素を有することを特徴とする金融取引方法
（１）取引口座識別情報に対応付けて、振替処理条件を登録する工程
（２）金融業務における取引の取引処理要求を入力する工程
（３）入力された前記取引処理要求に含まれる取引口座識別情報に対する振替処理条件を読み出し、読み出した振替処理条件に基づいて、振替処理要求を生成する工程
（４）生成された前記振替処理要求に基づく振替処理を指示する工程
（５）入力された前記取引処理要求に基づく取引処理を指示する工程。
【請求項１０】
金融取引処理装置となるコンピュータに、以下の処理を実行させるためのプログラムを記録したコンピュータ読み取り可能な記録媒体
（１）取引口座識別情報に対応付けて、振替処理条件を登録する処理
（２）金融業務における取引の取引処理要求を入力する処理
（３）入力された前記取引処理要求に含まれる取引口座識別情報に対する振替処理条件を読み出し、読み出した振替処理条件に基づいて、振替処理要求を生成する処理
（４）生成された前記振替処理要求に基づく振替処理を指示する処理
（５）入力された前記取引処理要求に基づく取引処理を指示する処理。
【請求項１１】
金融取引処理装置となるコンピュータに、以下の手順を実行させるためのプログラム
（１）取引口座識別情報に対応付けて、振替処理条件を登録する手順
（２）金融業務における取引の取引処理要求を入力する手順
（３）入力された前記取引処理要求に含まれる取引口座識別情報に対する振替処理条件を読み出し、読み出した振替処理条件に基づいて、振替処理要求を生成する手順
（４）生成された前記振替処理要求に基づく振替処理を指示する手順
（５）入力された前記取引処理要求に基づく取引処理を指示する手順。
【請求項１２】
前記取引処理要求は、出金処理要求であって、
前記取引処理は、出金処理であることを特徴とする請求項１記載の金融取引処理装置。
【請求項１３】
振替処理条件は、振替処理を連動して行うと判断する為の出金処理に関する条件である出金条件と、振替処理要求を生成する為のルールである振替ルールとを含むことを特徴とする請求項１２記載の金融取引処理装置。
【請求項１４】
前記出金条件は、出金額に関する条件を含むことを特徴とする請求項１３記載の金融取引処理装置。
【請求項１５】
前記出金条件は、口座残高に関する条件を含むことを特徴とする請求項１３記載の金融取引処理装置。
【請求項１６】
前記振替処理要求生成部は、取引口座識別情報を振替先口座識別情報とすることを特徴とする請求項１２記載の金融取引処理装置。
【請求項１７】
前記取引処理要求は、引落処理要求であって、
前記取引処理は、引落処理であることを特徴とする請求項１記載の金融取引処理装置。
【請求項１８】
振替処理条件は、振替処理を連動して行うと判断する為の引落処理に関する条件である引落条件と、振替処理要求を生成する為のルールである振替ルールとを含むことを特徴とする請求項１７記載の金融取引処理装置。
【請求項１９】
前記引落条件は、引落者を特定する情報を含むことを特徴とする請求項１８記載の金融取引処理装置。
【請求項２０】
前記引落条件は、引落金額に関する条件を含むことを特徴とする請求項１８記載の金融取引処理装置。
【請求項２１】
前記引落条件は、口座残高に関する条件を含むことを特徴とする請求項１８記載の金融取引処理装置。
【請求項２２】
前記振替処理要求生成部は、取引口座識別情報を振替先口座識別情報とすることを特徴とする請求項１７記載の金融取引処理装置。
【請求項２３】
前記取引処理要求は、振込処理要求であって、
前記取引処理は、振込処理であることを特徴とする請求項１記載の金融取引処理装置。
【請求項２４】
振替処理条件は、振替処理を連動して行うと判断する為の振込処理に関する条件である振込条件と、振替処理要求を生成する為のルールである振替ルールとを含むことを特徴とする請求項２３記載の金融取引処理装置。
【請求項２５】
前記振込条件は、振込先の口座を特定する振込先口座識別情報を含むことを特徴とする請求項２４記載の金融取引処理装置。
【請求項２６】
前記振込条件は、振込金額に関する条件を含むことを特徴とする請求項２４記載の金融取引処理装置。
【請求項２７】
前記振込条件は、口座残高に関する条件を含むことを特徴とする請求項２４記載の金融取引処理装置。
【請求項２８】
前記振替処理要求生成部は、取引口座識別情報を振替先口座識別情報とすることを特徴とする請求項２３記載の金融取引処理装置。
【発明の詳細な説明】
【０００１】
【発明の属する技術分野】
本発明は、金融取引処理装置に係り、所定の口座に対する入金処理に連動して振替処理を行う金融取引処理装置に関する。
【０００２】
【従来の技術】
雇用主から従業者へ給与が支給される場合に、金融機関に開設された従業者名義の口座を用いることが慣例化している。
しかし、従業者は、入金された口座から、更に特定の口座へ入金の一部を振り替えて、支払いや出金等にあてることが多い。
【０００３】
また、複数の者が共同で負担する支出を、とりあえず一の口座から出金し、引き落とし、あるいは振り込む場合に、他の共同負担者の口座から補充の振替を行う必要がある。
【０００４】
かかる振替処理は、面倒であり、振替処理が滞ることによる不具合も生じることがある。
【０００５】
【発明が解決しようとする課題】
本発明は、上記した従来技術の欠点を除くためになされたものであって、その目的とするところは、所定の口座に対する入金処理等の金融取引処理に連動して振替処理を行う金融取引処理装置を提供することによって、振替処理要求手続きを省き、振替処理を確実かつ迅速に行うことを目的とする。
【０００６】
【課題を解決するための手段】
本発明に係る金融取引処理装置は、
以下の要素を有することを特徴とする
（１）取引口座識別情報に対応付けて、振替処理条件を記憶する振替処理条件記憶部
（２）金融業務における取引の取引処理要求を入力する取引処理要求入力部
（３）入力された前記取引処理要求に含まれる取引口座識別情報に対する振替処理条件を振替処理条件記憶部から読み出し、読み出した振替処理条件に基づいて、振替処理要求を生成する振替処理要求生成部
（４）入力された前記取引処理要求に基づく取引処理を指示する取引処理指示部
（５）生成された前記振替処理要求に基づく振替処理を指示する振替処理指示部。
【０００７】
金融取引処理装置は、更に、
取引口座識別情報を特定して振替処理条件を入力し、特定した取引口座識別情報に対応付けて、入力した振替処理条件を、振替処理条件記憶部に登録する振替処理条件登録部を有することを特徴とする。
【０００８】
前記取引処理要求は、入金処理要求であって、
前記取引処理は、入金処理であることを特徴とする。
【０００９】
振替処理条件は、振替処理を連動して行うと判断する為の入金処理に関する条件である入金条件と、振替処理要求を生成する為のルールである振替ルールとを含むことを特徴とする。
【００１０】
前記入金条件は、入金者を特定する情報を含むことを特徴とする。
【００１１】
前記入金条件は、入金額に関する条件を含むことを特徴とする。
【００１２】
前記入金条件は、口座残高に関する条件を含むことを特徴とする。
【００１３】
前記振替処理要求生成部は、取引口座識別情報を振替元口座識別情報とすることを特徴とする。
【００１４】
本発明に係る金融取引方法は、
以下の要素を有することを特徴とする
（１）取引口座識別情報に対応付けて、振替処理条件を登録する工程
（２）金融業務における取引の取引処理要求を入力する工程
（３）入力された前記取引処理要求に含まれる取引口座識別情報に対する振替処理条件を読み出し、読み出した振替処理条件に基づいて、振替処理要求を生成する工程
（４）生成された前記振替処理要求に基づく振替処理を指示する工程
（５）入力された前記取引処理要求に基づく取引処理を指示する工程。
【００１５】
本発明に係るプログラムを記録したコンピュータ読み取り可能な記録媒体は、金融取引処理装置となるコンピュータに、以下の処理を実行させるためのプログラムを記録したコンピュータ読み取り可能な記録媒体であることを特徴とする
（１）取引口座識別情報に対応付けて、振替処理条件を登録する処理
（２）金融業務における取引の取引処理要求を入力する処理
（３）入力された前記取引処理要求に含まれる取引口座識別情報に対する振替処理条件を読み出し、読み出した振替処理条件に基づいて、振替処理要求を生成する処理
（４）生成された前記振替処理要求に基づく振替処理を指示する処理
（５）入力された前記取引処理要求に基づく取引処理を指示する処理。
【００１６】
本発明に係るプログラムは、
金融取引処理装置となるコンピュータに、以下の手順を実行させるためのプログラムであることを特徴とする
（１）取引口座識別情報に対応付けて、振替処理条件を登録する手順
（２）金融業務における取引の取引処理要求を入力する手順
（３）入力された前記取引処理要求に含まれる取引口座識別情報に対する振替処理条件を読み出し、読み出した振替処理条件に基づいて、振替処理要求を生成する手順
（４）生成された前記振替処理要求に基づく振替処理を指示する手順
（５）入力された前記取引処理要求に基づく取引処理を指示する手順。
【００１７】
前記取引処理要求は、出金処理要求であって、
前記取引処理は、出金処理であることを特徴とする。
【００１８】
振替処理条件は、振替処理を連動して行うと判断する為の出金処理に関する条件である出金条件と、振替処理要求を生成する為のルールである振替ルールとを含むことを特徴とする。
【００１９】
前記出金条件は、出金額に関する条件を含むことを特徴とする。
【００２０】
前記出金条件は、口座残高に関する条件を含むことを特徴とする。
【００２１】
前記振替処理要求生成部は、取引口座識別情報を振替先口座識別情報とすることを特徴とする。
【００２２】
前記取引処理要求は、引落処理要求であって、
前記取引処理は、引落処理であることを特徴とする。
【００２３】
振替処理条件は、振替処理を連動して行うと判断する為の引落処理に関する条件である引落条件と、振替処理要求を生成する為のルールである振替ルールとを含むことを特徴とする。
【００２４】
前記引落条件は、引落者を特定する情報を含むことを特徴とする。
【００２５】
前記引落条件は、引落金額に関する条件を含むことを特徴とする。
【００２６】
前記引落条件は、口座残高に関する条件を含むことを特徴とする。
【００２７】
前記振替処理要求生成部は、取引口座識別情報を振替先口座識別情報とすることを特徴とする。
【００２８】
前記取引処理要求は、振込処理要求であって、
前記取引処理は、振込処理であることを特徴とする。
【００２９】
振替処理条件は、振替処理を連動して行うと判断する為の振込処理に関する条件である振込条件と、振替処理要求を生成する為のルールである振替ルールとを含むことを特徴とする。
【００３０】
前記振込条件は、振込先の口座を特定する振込先口座識別情報を含むことを特徴とする。
【００３１】
前記振込条件は、振込金額に関する条件を含むことを特徴とする。
【００３２】
前記振込条件は、口座残高に関する条件を含むことを特徴とする。
【００３３】
前記振替処理要求生成部は、取引口座識別情報を振替先口座識別情報とすることを特徴とする。
【００３４】
【発明の実施の形態】
実施の形態１．
以下本発明を図面に示す実施例に基づいて説明する。図１は、実施の形態１における金融取引装置の構成を示す図である。
１は、振替処理条件登録部、２は、振替処理条件記憶部、３は、取引処理選択部、４は、入金処理要求入力部、５は、振替処理要求生成部、６は、入金処理指示部、７は、入金処理実行部、８は、振替処理指示部、９は、振替処理実行部である。この例では、入金処理実行部７と振替処理実行部９を金融取引処理装置に含める例を示しているが、外部に設けられている入金処理実行部７と振替処理実行部９にネットワークを介して接続する構成としてもよい。また、金融取引処理装置は、ＡＴＭ（ａｕｔｏｍａｔｅｄ　ｔｅｌｌｅｒ　ｍａｃｈｉｎｅ自動現金引き出し・預け入れ装置）のような端末と接続可能なように構成されており、端末に対して各画面を出力し、端末から所定の情報を入力するように構成されている。
金融取引処理装置は、予め振替処理条件を登録しておき、後に入金処理要求を受付た時点で、振替処理条件を用いるように構成されている。
【００３５】
まず、振替処理条件の登録について説明する。図２は、実施の形態１における振替処理条件登録フローを示す図である。
振替処理条件登録部１は、振替処理条件登録画面を出力する（Ｓ２０１）。振替処理条件登録画面は、取引種別を選択できるように構成されており、選択された取引種別を入力する（Ｓ２０２）。本実施の形態では、振替処理を連動させる処理として、入金処理を選択する。また、振替処理条件登録画面は、取引口座識別情報の入力を促すように構成されており、振替処理条件登録部１は、取引口座識別情報（この例では、入金口座識別情報となる。）を入力する（Ｓ２０３）。更に、振替処理条件登録画面は、振替処理条件の入力を促すように構成されており、振替処理条件を入力する（Ｓ２０４）。振替処理条件は、入金条件と振替ルールにより構成されている。入金条件と振替ルールについては、後述する。振替処理条件登録部１は、入力した取引種別、取引口座識別情報、及び振替処理条件を対応付けて、振替処理条件記憶部２に記憶させる（Ｓ２０５）。
尚、振替処理を連動させる処理として入金処理のみを対象とする場合には、Ｓ２０２の処理を省略しても構わない。
【００３６】
次に、上述の情報を登録された振替処理条件記憶部の構成例について説明する。図３は、振替処理条件記憶部の構成の第一例を示す図である。このテーブルは、取引種別（入金処理）に対応するように記憶されている。
取引口座識別情報（入金口座識別情報）３０１と、入金条件３０２と、振替ルール３０３とを対応付けて記憶するように構成されている。入金条件３０２と振替ルール３０３により、振替処理条件を構成している。この例では、入金条件は、入金者を特定する情報である。つまり、この情報により特定される者より、取引口座識別情報（入金口座識別情報）３０１に入金があった場合に、連動して振替処理が行われることを意味している。振替ルール３０３は、振替先口座識別情報３０５と振替額／入金額率３０６とにより構成されている。入金額に、振替額／入金額率３０６を乗じた額を振替額とし、その額が、取引口座識別情報（入金口座識別情報）３０１により特定される口座を振替元口座として、その口座から振替先口座識別情報３０５により特定される振替先口座に振り替えられることを意味している。
尚、レコード３５１とレコード３５２に示すように、同一の取引口座識別情報（入金口座識別情報）に対して、複数の振替処理条件を対応付けるように、複数のレコードを設けることも有効である。
【００３７】
他の構成例について説明する。図４は、実施の形態１における振替処理条件記憶部の構成の第二例を示す図である。
この例の入金条件４０２は、入金者４０４と入金額４０５の条件により構成されている。取引口座識別情報（入金口座識別情報）４０１に、入金者４０４の情報により特定される者より、入金額４０５の条件を満たす入金があった場合に、連動して振替処理が行われることを意味している。
【００３８】
他の構成例について説明する。図５は、実施の形態１における振替処理条件記憶部の構成の第三例を示す図である。
この例の入金条件５０２は、入金者５０４と入金口座残高５０５の条件により構成されている。取引口座識別情報（入金口座識別情報）５０１に、入金者５０４の情報により特定される者より、入金後（別の例では、入金前としてもよい。）の入金口座残高５０５の条件を満たす入金があった場合に、連動して振替処理が行われることを意味している。振替ルール５０３は、振替先口座識別情報５０６と振替額算出式５０７とにより構成されている。振替額算出式５０７に従って、入金額あるいは入金後（別の例では、入金前としてもよい。）の入金口座残高に基づく振替額を算出し、その額が、取引口座識別情報（入金口座識別情報）５０１により特定される口座を振替元口座として、振替先口座識別情報５０６により特定される振替先口座に振り替えられることを意味している。
【００３９】
他の構成例について説明する。図６は、実施の形態１における振替処理条件記憶部の構成の第四例を示す図である。
この例の振替ルール６０３は、振替先口座識別情報６０５と振替額６０６とにより構成されている。振替額６０６が、取引口座識別情報（入金口座識別情報）６０１により特定される口座を振替元口座として、振替先口座識別情報６０５により特定される振替先口座に振り替えられることを意味している。
【００４０】
他の構成例について説明する。図７は、実施の形態１における振替処理条件記憶部の構成の第五例を示す図である。
この例の振替ルール７０３は、振替元口座識別情報７０６を含んでいる。この例は、求められた振替額が、振替元口座識別情報７０６により特定される振替元口座から、振替先口座識別情報７０５により特定される振替先口座に振り替えられることを意味している。
尚、振替元口座識別情報７０６の入力を省略し、自動的に取引口座識別情報（入金口座識別情報）を振替元口座識別情報７０６として、登録することも有効である。
【００４１】
尚、上述の振替ルールに含まれる振替額／入金額率と振替額は、いずれも振替額算出式としてあらわすことも可能である。
【００４２】
次に、入金処理要求に連動して振替処理を行う金融取引処理の動作について説明する。図８は、実施の形態１における金融取引処理フローを示す図である。
取引処理選択部３は、取引処理選択処理を行う（Ｓ８０１）。取引処理選択部３は、取引処理選択画面を出力する。この画面は、取引種別の選択を促すように構成されており、取引種別として入金処理が選択された場合に、入金処理要求入力部４による処理を起動する。
【００４３】
入金処理要求入力部４は、入金処理要求入力処理を行う（Ｓ８０２）。入金処理要求入力部４は、入金処理要求画面を出力する。入金処理要求画面は、入金処理の為に必要な情報（入金処理要求）の入力を促すように構成されている。入金処理要求入力部４は、この画面への操作により、入金処理要求（取引処理要求の例）を入力する。この例では、入金処理要求として、入金者、取引口座識別情報（入金口座識別情報）、入金額を入力する。
【００４４】
次に、振替処理要求生成部５は、振替処理要求生成処理を行う（Ｓ８０３）。図９は、実施の形態１における振替処理要求生成処理フローを示す図である。
取引処理選択部３により選択された取引種別に従って、振替処理条件記憶部２から対応するテーブルを特定し、入金処理要求に含まれる取引口座識別情報（入金口座識別情報）をキーとして、テーブル内を検索する。検索の結果、複数のレコードが適合する場合もある。
【００４５】
適合したすべてのレコードについて、以下の処理を行う（Ｓ９０２）。適合したレコードに含まれる振替処理条件（入金条件、振替ルール）を取得する（Ｓ９０３）。
【００４６】
入金処理要求が、入金条件に適合するか判断する（Ｓ９０４）。尚、図５に示した入金口座残高については、取引口座識別情報（入金口座識別情報）により特定される口座の残高を、口座情報を管理するデータベースより取得し、入金口座残高として判断に用いる。入金後の入金口座残高を用いる場合には、取得した入金前の入金口座残高に入金額を加えて、入金後の入金口座残高を求める。
【００４７】
入金条件に適合したレコードに関しては、振替ルールに従って、振替処理要求を生成する（Ｓ９０５）。具体的には、前述した各テーブル（図３〜７）の項目の意味に従って、振替金額を決定し、振替元口座識別情報と振替先口座識別情報を特定し、振替元口座識別情報、振替先口座識別情報、及び振替金額を含む振替処理要求を生成する。
入金条件に適合しないレコードに関しては、振替処理要求を生成しない。
【００４８】
Ｓ９０１の検索で適合したレコードすべてについて、処理を終えた時点で終了する（Ｓ９０６）。
【００４９】
図８に示すように、入金処理指示部６は、入金処理指示処理を行う（Ｓ８０４）。入金処理要求入力部４により入力した入金処理要求を、入金処理実行部７へ出力する。
【００５０】
続いて、振替処理指示部８は、振替処理指示処理を行う（Ｓ８０５）。振替処理要求生成部５により生成された振替処理要求を、振替処理実行部９へ出力する。
【００５１】
実施の形態２．
図１０は、実施の形態２における金融取引装置の構成を示す図である。
１０は、出金処理要求入力部、１１は、出金処理指示部、１２は、出金処理実行部である。この例では、出金処理実行部１２と振替処理実行部９を金融取引処理装置に含める例を示しているが、外部に設けられている出金処理実行部１２と振替処理実行部９にネットワークを介して接続する構成としてもよい。
金融取引処理装置は、予め振替処理条件を登録しておき、後に出金処理要求を受付た時点で、振替処理条件を用いるように構成されている。
【００５２】
まず、振替処理条件の登録について説明する。図１１は、実施の形態２における振替処理条件登録フローを示す図である。
振替処理条件登録部１は、振替処理条件登録画面を出力する（Ｓ１１０１）。振替処理条件登録画面は、取引種別を選択できるように構成されており、選択された取引種別を入力する（Ｓ１１０２）。本実施の形態では、振替処理を連動させる処理として、出金処理を選択する。また、振替処理条件登録画面は、取引口座識別情報の入力を促すように構成されており、振替処理条件登録部１は、取引口座識別情報（この例では、出金口座識別情報となる。）を入力する（Ｓ１１０３）。更に、振替処理条件登録画面は、振替処理条件の入力を促すように構成されており、振替処理条件を入力する（Ｓ１１０４）。振替処理条件は、出金条件と振替ルールにより構成されている。出金条件と振替ルールについては、後述する。振替処理条件登録部１は、入力した取引種別、取引口座識別情報、及び振替処理条件を対応付けて、振替処理条件記憶部２に記憶させる（Ｓ１１０５）。
尚、振替処理を連動させる処理として出金処理のみを対象とする場合には、Ｓ１１０２の処理を省略しても構わない。
【００５３】
次に、上述の情報を登録された振替処理条件記憶部の構成例について説明する。図１２は、実施の形態２における振替処理条件記憶部の構成の第一例を示す図である。このテーブルは、取引種別（出金処理）に対応するように記憶されている。
取引口座識別情報（出金口座識別情報）１２０１と、振替ルール１２０２とを対応付けて記憶するように構成されている。振替ルール１２０２は、振替元口座識別情報１２０３と振替額／出金額率１２０４とにより構成されている。出金額に、振替額／出金額率１２０４を乗じた額を振替額とし、その額が、取引口座識別情報（出金口座識別情報）１２０１により特定される口座を振替先口座として、その口座へ振替元口座識別情報１２０４により特定される振替元口座から振り替えられることを意味している。この例では、振替処理条件としての出金条件を省略している。つまり、出金条件を無条件として、常に振替処理が行われる。
尚、レコード１２５１とレコード１２５２に示すように、同一の取引口座識別情報（出金口座識別情報）に対して、複数の振替処理条件を対応付けるように、複数のレコードを設けることも有効である。
【００５４】
他の構成例について説明する。図１３は、実施の形態２における振替処理条件記憶部の構成の第二例を示す図である。
この例では、出金条件１３０２と振替ルール１３０３により、振替処理条件を構成し、出金条件１３０２として、出金額１３０４を用いている。つまり、取引口座識別情報（出金口座識別情報）１３０１から出金額１３０４の条件を満たす出金があった場合に、連動して振替処理が行われることを意味している。
【００５５】
他の構成例について説明する。図１４は、実施の形態２における振替処理条件記憶部の構成の第三例を示す図である。
この例の出金条件１４０２は、出金口座残高１４０４の条件により構成されている。取引口座識別情報（出金口座識別情報）１４０１から、出金後（別の例では、出金前としてもよい。）の出金口座残高１４０４の条件を満たす出金があった場合に、連動して振替処理が行われることを意味している。振替ルール１４０３は、振替元口座識別情報１４０５と振替額算出式１４０６とにより構成されている。振替額算出式１４０６に従って、出金額あるは出金後（別の例では、出金前としてもよい。）の出金口座残高に基づく振替額を算出し、その額が、取引口座識別情報（出金口座識別情報）５０１により特定される口座を振替先口座として、振替元口座識別情報１４０５により特定される振替元口座から振り替えられることを意味している。
【００５６】
他の構成例について説明する。図１５は、実施の形態２における振替処理条件記憶部の構成の第四例を示す図である。
この例の振替ルール１５０２は、振替元口座識別情報１５０３と振替額１５０４とにより構成されている。振替額１５０４が、取引口座識別情報（出金口座識別情報）１５０１により特定される口座を振替先口座として、振替元口座識別情報１５０３により特定される振替元口から振り替えられることを意味している。
【００５７】
他の構成例について説明する。図１６は、実施の形態２における振替処理条件記憶部の構成の第五例を示す図である。
この例の振替ルール１６０２は、振替先口座識別情報１６０４を含んでいる。この例は、求められた振替額が、振替先口座識別情報１６０４により特定される振替先口座へ、振替元口座識別情報１６０３により特定される振替元口座から振り替えられることを意味している。
尚、振替先口座識別情報１６０４の入力を省略し、自動的に取引口座識別情報（出金口座識別情報）を振替先口座識別情報１６０４として、登録することも有効である。
【００５８】
尚、上述の振替ルールに含まれる振替額／出金額率と振替額は、いずれも振替額算出式としてあらわすことも可能である。
【００５９】
次に、出金処理要求に連動して振替処理を行う金融取引処理の動作について説明する。図１７は、実施の形態２における金融取引処理フローを示す図である。
取引処理選択部３は、取引処理選択処理を行う（Ｓ１７０１）。取引処理選択部３は、取引処理選択画面を出力する。この画面は、取引種別の選択を促すように構成されており、取引種別として出金処理が選択された場合に、出金処理要求入力部１０による処理を起動する。
【００６０】
出金処理要求入力部１０は、出金処理要求入力処理を行う（Ｓ１７０２）。出金処理要求入力部１０は、出金処理要求画面を出力する。出金処理要求画面は、出金処理の為に必要な情報（出金処理要求）の入力を促すように構成されている。出金処理要求入力部１０は、この画面への操作により、出金処理要求（取引処理要求の例）を入力する。この例では、出金処理要求として、取引口座識別情報（出金口座識別情報）、出金額を入力する。
【００６１】
次に、振替処理要求生成部５は、振替処理要求生成処理を行う（Ｓ１７０３）。図１８は、実施の形態２における振替処理要求生成処理フローを示す図である。
取引処理選択部３により選択された取引種別に従って、振替処理条件記憶部２から対応するテーブルを特定し、出金処理要求に含まれる取引口座識別情報（出金口座識別情報）をキーとして、テーブル内を検索する。検索の結果、複数のレコードが適合する場合もある。
【００６２】
適合したすべてのレコードについて、以下の処理を行う（Ｓ１８０２）。適合したレコードに含まれる振替処理条件（出金条件、振替ルール）を取得する（Ｓ１８０３）。
【００６３】
出金処理要求が、出金条件に適合するか判断する（Ｓ１８０４）。尚、図１４に示した出金口座残高については、取引口座識別情報（出金口座識別情報）により特定される口座の残高を、口座情報を管理するデータベースより取得し、出金口座残高として判断に用いる。出金後の出金口座残高を用いる場合には、取得した出金前の出金口座残高から出金額を差し引いて、出金後の出金口座残高を求める。
【００６４】
出金条件に適合したレコードに関しては、振替ルールに従って、振替処理要求を生成する（Ｓ１８０５）。具体的には、前述した各テーブル（図１２〜１６）の項目の意味に従って、振替金額を決定し、振替元口座識別情報と振替先口座識別情報を特定し、振替元口座識別情報、振替先口座識別情報、及び振替金額を含む振替処理要求を生成する。
出金条件に適合しないレコードに関しては、振替処理要求を生成しない。
【００６５】
Ｓ１８０１の検索で適合したレコードすべてについて、処理を終えた時点で終了する（Ｓ１８０６）。
【００６６】
図１７に示すように、出金処理指示部１１は、出金処理指示処理を行う（Ｓ１７０４）。出金処理要求入力部１０により入力した出金処理要求を、出金処理実行部１２へ出力する。
【００６７】
続いて、振替処理指示部８は、振替処理指示処理を行う（Ｓ１７０５）。振替処理要求生成部５により生成された振替処理要求を、振替処理実行部９へ出力する。
【００６８】
実施の形態３．
図１９は、実施の形態３における金融取引装置の構成を示す図である。
１３は、引落処理要求入力部、１４は、引落処理指示部、１５は、引落処理実行部である。この例では、引落処理実行部１５と振替処理実行部９を金融取引処理装置に含める例を示しているが、外部に設けられている引落処理実行部１５と振替処理実行部９にネットワークを介して接続する構成としてもよい。
金融取引処理装置は、予め振替処理条件を登録しておき、後に引落処理要求を受付た時点で、振替処理条件を用いるように構成されている。
【００６９】
まず、振替処理条件の登録について説明する。図２０は、実施の形態３における振替処理条件登録フローを示す図である。
振替処理条件登録部１は、振替処理条件登録画面を出力する（Ｓ２００１）。振替処理条件登録画面は、取引種別を選択できるように構成されており、選択された取引種別を入力する（Ｓ２００２）。本実施の形態では、振替処理を連動させる処理として、引落処理を選択する。また、振替処理条件登録画面は、取引口座識別情報の入力を促すように構成されており、振替処理条件登録部１は、取引口座識別情報（この例では、引落口座識別情報となる。）を入力する（Ｓ２００３）。更に、振替処理条件登録画面は、振替処理条件の入力を促すように構成されており、振替処理条件を入力する（Ｓ２００４）。振替処理条件は、引落条件と振替ルールにより構成されている。引落条件と振替ルールについては、後述する。振替処理条件登録部１は、入力した取引種別、取引口座識別情報、及び振替処理条件を対応付けて、振替処理条件記憶部２に記憶させる（Ｓ２００５）。
尚、振替処理を連動させる処理として引落処理のみを対象とする場合には、Ｓ２００２の処理を省略しても構わない。
【００７０】
次に、上述の情報を登録された振替処理条件記憶部の構成例について説明する。図２１は、実施の形態３における振替処理条件記憶部の構成の第一例を示す図である。このテーブルは、取引種別（引落処理）に対応するように記憶されている。
取引口座識別情報（引落口座識別情報）２１０１と、引落条件２１０２と、振替ルール２１０３とを対応付けて記憶するように構成されている。引落条件２１０２と振替ルール２１０３により、振替処理条件を構成している。この例では、引落条件は、引落者を特定する情報である。つまり、この情報により特定される者より、取引口座識別情報（引落口座識別情報）２１０１から引落があった場合に、連動して振替処理が行われることを意味している。振替ルール２１０３は、振替元口座識別情報２１０５と振替額／引落金額率２１０６とにより構成されている。引落金額に、振替額／引落金額率２１０６を乗じた額を振替額とし、その額が、取引口座識別情報（引落口座識別情報）２１０１により特定される口座を振替先口座として、その口座へ振替元口座識別情報２１０５により特定される振替元口座から振り替えられることを意味している。
尚、レコード２１５１とレコード２１５２に示すように、同一の取引口座識別情報（引落口座識別情報）に対して、複数の振替処理条件を対応付けるように、複数のレコードを設けることも有効である。
【００７１】
他の構成例について説明する。図２２は、実施の形態３における振替処理条件記憶部の構成の第二例を示す図である。
この例の引落条件２２０２は、引落者２２０４と引落金額２２０５の条件により構成されている。取引口座識別情報（引落口座識別情報）２２０１に、引落者２２０４の情報により特定される者より、引落金額２２０５の条件を満たす引落があった場合に、連動して振替処理が行われることを意味している。
【００７２】
他の構成例について説明する。図２３は、実施の形態３における振替処理条件記憶部の構成の第三例を示す図である。
この例の引落条件２３０２は、引落者２３０４と引落口座残高２３０５の条件により構成されている。取引口座識別情報（引落口座識別情報）２３０１から、引落者２３０４の情報により特定される者により、、引落後（別の例では、引落前としてもよい。）の引落口座残高２３０５の条件を満たす引落があった場合に、連動して振替処理が行われることを意味している。振替ルール２３０３は、振替元口座識別情報２３０６と振替額算出式２３０７とにより構成されている。振替額算出式２３０７に従って、引落金額あるは引落後（別の例では、引落前としてもよい。）の引落口座残高に基づく振替額を算出し、その額が、取引口座識別情報（引落口座識別情報）２３０１により特定される口座を振替先口座として、振替元口座識別情報２３０６により特定される振替元口座から振り替えられることを意味している。
【００７３】
他の構成例について説明する。図２４は、実施の形態３における振替処理条件記憶部の構成の第四例を示す図である。
この例の振替ルール２４０３は、振替元口座識別情報２４０５と振替額２４０６とにより構成されている。振替額２４０６が、取引口座識別情報（引落口座識別情報）２４０１により特定される口座を振替先口座として、振替元口座識別情報２４０５により特定される振替先元口座から振り替えられることを意味している。
【００７４】
他の構成例について説明する。図２５は、実施の形態３における振替処理条件記憶部の構成の第五例を示す図である。
この例の振替ルール２５０３は、振替先口座識別情報２５０６を含んでいる。この例は、求められた振替額が、振替先口座識別情報２５０６により特定される振替先口座へ、振替元口座識別情報２５０５により特定される振替元口座から振り替えられることを意味している。
尚、振替先口座識別情報２５０６の入力を省略し、自動的に取引口座識別情報（引落口座識別情報）を振替先口座識別情報２５０６として、登録することも有効である。
【００７５】
尚、上述の振替ルールに含まれる振替額／引落金額率と振替額は、いずれも振替額算出式としてあらわすことも可能である。
【００７６】
次に、引落処理要求に連動して振替処理を行う金融取引処理の動作について説明する。図２６は、実施の形態３における金融取引処理フローを示す図である。
取引処理選択部３は、取引処理選択処理を行う（Ｓ２６０１）。取引処理選択部３は、取引処理選択画面を出力する。この画面は、取引種別の選択を促すように構成されており、取引種別として引落処理が選択された場合に、引落処理要求入力部１３による処理を起動する。
【００７７】
引落処理要求入力部１３は、引落処理要求入力処理を行う（Ｓ２６０２）。引落処理要求入力部１３は、引落処理要求画面を出力する。引落処理要求画面は、引落処理の為に必要な情報（引落処理要求）の入力を促すように構成されている。引落処理要求入力部１３は、この画面への操作により、引落処理要求（取引処理要求の例）を入力する。この例では、引落処理要求として、引落者、取引口座識別情報（引落口座識別情報）、引落金額を入力する。
【００７８】
次に、振替処理要求生成部５は、振替処理要求生成処理を行う（Ｓ２６０３）。図２７は、実施の形態３における振替処理要求生成処理フローを示す図である。
取引処理選択部３により選択された取引種別に従って、振替処理条件記憶部２から対応するテーブルを特定し、引落処理要求に含まれる取引口座識別情報（引落口座識別情報）をキーとして、テーブル内を検索する。検索の結果、複数のレコードが適合する場合もある。
【００７９】
適合したすべてのレコードについて、以下の処理を行う（Ｓ２７０２）。適合したレコードに含まれる振替処理条件（引落条件、振替ルール）を取得する（Ｓ２７０３）。
【００８０】
引落処理要求が、引落条件に適合するか判断する（Ｓ２７０４）。尚、図２３に示した引落口座残高については、取引口座識別情報（引落口座識別情報）により特定される口座の残高を、口座情報を管理するデータベースより取得し、引落口座残高として判断に用いる。引落後の引落口座残高を用いる場合には、取得した引落前の引落口座残高から引落金額を差し引いて、引落後の引落口座残高を求める。
【００８１】
引落条件に適合したレコードに関しては、振替ルールに従って、振替処理要求を生成する（Ｓ２７０５）。具体的には、前述した各テーブル（図２１〜２５）の項目の意味に従って、振替金額を決定し、振替元口座識別情報と振替先口座識別情報を特定し、振替元口座識別情報、振替先口座識別情報、及び振替金額を含む振替処理要求を生成する。
引落条件に適合しないレコードに関しては、振替処理要求を生成しない。
【００８２】
Ｓ２７０１の検索で適合したレコードすべてについて、処理を終えた時点で終了する（Ｓ２７０６）。
【００８３】
図２６に示すように、引落処理指示部１４は、引落処理指示処理を行う（Ｓ２６０４）。引落処理要求入力部１３により入力した引落処理要求を、引落処理実行部１５へ出力する。
【００８４】
続いて、振替処理指示部８は、振替処理指示処理を行う（Ｓ２６０５）。振替処理要求生成部５により生成された振替処理要求を、振替処理実行部９へ出力する。
【００８５】
実施の形態４．
図２８は、実施の形態４における金融取引装置の構成を示す図である。
１６は、振込処理要求入力部、１７は、振込処理指示部、１８は、振込処理実行部である。この例では、振込処理実行部１８と振替処理実行部９を金融取引処理装置に含める例を示しているが、外部に設けられている振込処理実行部１８と振替処理実行部９にネットワークを介して接続する構成としてもよい。
金融取引処理装置は、予め振替処理条件を登録しておき、後に振込処理要求を受付た時点で、振替処理条件を用いるように構成されている。
【００８６】
まず、振替処理条件の登録について説明する。図２９は、実施の形態４における振替処理条件登録フローを示す図である。
振替処理条件登録部１は、振替処理条件登録画面を出力する（Ｓ２９０１）。振替処理条件登録画面は、取引種別を選択できるように構成されており、選択された取引種別を入力する（Ｓ２９０２）。本実施の形態では、振替処理を連動させる処理として、振込処理を選択する。また、振替処理条件登録画面は、取引口座識別情報の入力を促すように構成されており、振替処理条件登録部１は、取引口座識別情報（この例では、振込元口座識別情報となる。）を入力する（Ｓ２９０３）。更に、振替処理条件登録画面は、振替処理条件の入力を促すように構成されており、振替処理条件を入力する（Ｓ２９０４）。振替処理条件は、振込条件と振替ルールにより構成されている。振込条件と振替ルールについては、後述する。振替処理条件登録部１は、入力した取引種別、取引口座識別情報、及び振替処理条件を対応付けて、振替処理条件記憶部２に記憶させる（Ｓ２９０５）。尚、振替処理を連動させる処理として振込処理のみを対象とする場合には、Ｓ２９０２の処理を省略しても構わない。
【００８７】
次に、上述の情報を登録された振替処理条件記憶部の構成例について説明する。図３０は、実施の形態４における振替処理条件記憶部の構成の第一例を示す図である。このテーブルは、取引種別（振込処理）に対応するように記憶されている。
取引口座識別情報（振込元口座識別情報）３００１と、振込条件３００２と、振替ルール３００３とを対応付けて記憶するように構成されている。振込条件３００２と振替ルール３００３により、振替処理条件を構成している。この例では、振込条件は、振込先口座識別情報３００４である。つまり、この情報により特定される振込先口座へ、取引口座識別情報（振込元口座識別情報）３００１の口座から振込があった場合に、連動して振替処理が行われることを意味している。振替ルール３００３は、振替元口座識別情報３００５と振替額／振込金額率３００６とにより構成されている。振込金額に、振替額／振込金額率３００６を乗じた額を振替額とし、その額が、取引口座識別情報（振込元口座識別情報）３００１により特定される口座を振替先口座として、その口座へ振替元口座識別情報３００５により特定される振替元口座から振り替えられることを意味している。
尚、レコード３０５１とレコード３０５２に示すように、同一の取引口座識別情報（振込元口座識別情報）に対して、複数の振替処理条件を対応付けるように、複数のレコードを設けることも有効である。
【００８８】
他の構成例について説明する。図３１は、実施の形態４における振替処理条件記憶部の構成の第二例を示す図である。
この例の振込条件３１０２は、振込先口座識別情報３１０４と振込金額３１０５の条件により構成されている。取引口座識別情報（振込元口座識別情報）３１０１の口座から、振込先口座識別情報３１０４により特定される振込先口座へ、振込金額３１０５の条件を満たす振込があった場合に、連動して振替処理が行われることを意味している。
【００８９】
他の構成例について説明する。図３２は、実施の形態４における振替処理条件記憶部の構成の第三例を示す図である。
この例の振込条件３２０２は、振込先口座識別情報３２０４と振込元口座残高２３０５の条件により構成されている。取引口座識別情報（振込元口座識別情報）３２０１の口座から、振込先口座識別情報３２０４により特定される振込先口座へ、振込後（別の例では、振込前としてもよい。）の振込元口座残高３２０５の条件を満たす振込があった場合に、連動して振替処理が行われることを意味している。振替ルール３２０３は、振替元口座識別情報３２０６と振替額算出式３２０７とにより構成されている。振替額算出式３２０７に従って、振込金額あるは振込後（別の例では、振込前としてもよい。）の振込元口座残高に基づく振替額を算出し、その額が、取引口座識別情報（振込元口座識別情報）３２０１により特定される口座を振替先口座として、振替元口座識別情報３２０６により特定される振替元口座から振り替えられることを意味している。
【００９０】
他の構成例について説明する。図３３は、実施の形態４における振替処理条件記憶部の構成の第四例を示す図である。
この例の振替ルール３３０３は、振替元口座識別情報３３０５と振替額３３０６とにより構成されている。振替額３３０６が、取引口座識別情報（振込元口座識別情報）３３０１により特定される口座を振替先口座として、振替元口座識別情報３３０５により特定される振替元口座から振り替えられることを意味している。
【００９１】
他の構成例について説明する。図３４は、実施の形態４における振替処理条件記憶部の構成の第五例を示す図である。
この例の振替ルール３４０３は、振替先口座識別情報３４０６を含んでいる。この例は、求められた振替額が、振替先口座識別情報３４０６により特定される振替先口座へ、振替元口座識別情報３４０５により特定される振替元口座から振り替えられることを意味している。
尚、振替先口座識別情報３４０６の入力を省略し、自動的に取引口座識別情報（振込元口座識別情報）を振替先口座識別情報３４０６として、登録することも有効である。
【００９２】
尚、上述の振替ルールに含まれる振替額／振込金額率と振替額は、いずれも振替額算出式としてあらわすことも可能である。
【００９３】
次に、振込処理要求に連動して振替処理を行う金融取引処理の動作について説明する。図３５は、実施の形態４における金融取引処理フローを示す図である。
取引処理選択部３は、取引処理選択処理を行う（Ｓ３５０１）。取引処理選択部３は、取引処理選択画面を出力する。この画面は、取引種別の選択を促すように構成されており、取引種別として振込処理が選択された場合に、振込処理要求入力部１６による処理を起動する。
【００９４】
振込処理要求入力部１６は、振込処理要求入力処理を行う（Ｓ３５０２）。振込処理要求入力部１６は、振込処理要求画面を出力する。振込処理要求画面は、振込処理の為に必要な情報（振込処理要求）の入力を促すように構成されている。振込処理要求入力部１６は、この画面への操作により、振込処理要求（取引処理要求の例）を入力する。この例では、振込処理要求として、取引口座識別情報（振込元口座識別情報）、振込先口座識別情報、振込金額を入力する。
【００９５】
次に、振替処理要求生成部５は、振替処理要求生成処理を行う（Ｓ３５０３）。図３６は、実施の形態４における振替処理要求生成処理フローを示す図である。
取引処理選択部３により選択された取引種別に従って、振替処理条件記憶部２から対応するテーブルを特定し、振込処理要求に含まれる取引口座識別情報（振込元口座識別情報）をキーとして、テーブル内を検索する。検索の結果、複数のレコードが適合する場合もある。
【００９６】
適合したすべてのレコードについて、以下の処理を行う（Ｓ３６０２）。適合したレコードに含まれる振替処理条件（振込条件、振替ルール）を取得する（Ｓ３６０３）。
【００９７】
振込処理要求が、振込条件に適合するか判断する（Ｓ３６０４）。尚、図３２に示した振込元口座残高３２０５については、取引口座識別情報（振込元口座識別情報）により特定される口座の残高を、口座情報を管理するデータベースより取得し、振込口座残高として判断に用いる。振込後の振込元口座残高を用いる場合には、取得した振込前の振込元口座残高から振込金額を差し引いて、振込後の振込元口座残高を求める。
【００９８】
振込条件に適合したレコードに関しては、振替ルールに従って、振替処理要求を生成する（Ｓ３６０５）。具体的には、前述した各テーブル（図３０〜３４）の項目の意味に従って、振替金額を決定し、振替元口座識別情報と振替先口座識別情報を特定し、振替元口座識別情報、振替先口座識別情報、及び振替金額を含む振替処理要求を生成する。
振込条件に適合しないレコードに関しては、振替処理要求を生成しない。
【００９９】
Ｓ３６０１の検索で適合したレコードすべてについて、処理を終えた時点で終了する（Ｓ３６０８）。
【０１００】
図３５に示すように、振込処理指示部１７は、振込処理指示処理を行う（Ｓ３５０４）。振込処理要求入力部１６により入力した振込処理要求を、振込処理実行部１８へ出力する。
【０１０１】
続いて、振替処理指示部８は、振替処理指示処理を行う（Ｓ３５０５）。振替処理要求生成部５により生成された振替処理要求を、振替処理実行部９へ出力する。
【０１０２】
金融取引処理装置は、コンピュータであり、各要素はプログラムにより処理を実行することができる。また、プログラムを記憶媒体に記憶させ、記憶媒体からコンピュータに読み取られるようにすることができる。
【０１０３】
【発明の効果】
本発明においては、振替処理条件を事前に登録し、入金を所定の条件に従って配分することができる。これにより、口座利用者による振替処理要求の手続きを省略できるとともに、入金処理に対して自動的に振替を行うので、確実かつ即座に配分が完了する。従って、配分先での入金利用の便宜を図ることができる。
【０１０４】
本発明においては、振替処理条件を事前に登録し、出金の負担を所定の条件に従って、他の口座に配分することができる。これにより、口座利用者による振替処理要求の手続きを省略できるとともに、出金処理に対して自動的に振替を行うので、確実かつ即座に負担配分が完了する。
【０１０５】
本発明においては、振替処理条件を事前に登録し、引落の負担を所定の条件に従って配分することができる。これにより、口座利用者による振替処理要求の手続きを省略できるとともに、引落処理に対して自動的に振替を行うので、確実かつ即座に負担配分が完了する。
【０１０６】
本発明においては、振替処理条件を事前に登録し、振込による負担を所定の条件に従って他の口座に配分することができる。これにより、口座利用者による振替処理要求の手続きを省略できるとともに、振込処理に対して自動的に振替を行うので、確実かつ即座に負担配分が完了する。
【０１０７】
特に、取引条件に取引相手方を特定する情報（例えば、入金条件の入金者を特定する情報、引落条件の引落者を特定する情報、振込条件の振込先口座識別情報）を用いることにより、特定の取引を選択して、振替処理を行うことが可能となる。
また、出金条件等の取引条件に口座残高を用いることにより、残高不足を未然に防止し、取引の安全を図ることができる。
【図面の簡単な説明】
【図１】実施の形態１における金融取引装置の構成を示す図である。
【図２】実施の形態１における振替処理条件登録フローを示す図である。
【図３】実施の形態１における振替処理条件記憶部の構成の第一例を示す図である。
【図４】実施の形態１における振替処理条件記憶部の構成の第二例を示す図である。
【図５】実施の形態１における振替処理条件記憶部の構成の第三例を示す図である。
【図６】実施の形態１における振替処理条件記憶部の構成の第四例を示す図である。
【図７】実施の形態１における振替処理条件記憶部の構成の第五例を示す図である。
【図８】実施の形態１における金融取引処理フローを示す図である。
【図９】実施の形態１における振替処理要求生成処理フローを示す図である。
【図１０】実施の形態２における金融取引装置の構成を示す図である。
【図１１】実施の形態２における振替処理条件登録フローを示す図である。
【図１２】実施の形態２における振替処理条件記憶部の構成の第一例を示す図である。
【図１３】実施の形態２における振替処理条件記憶部の構成の第二例を示す図である。
【図１４】実施の形態２における振替処理条件記憶部の構成の第三例を示す図である。
【図１５】実施の形態２における振替処理条件記憶部の構成の第四例を示す図である。
【図１６】実施の形態２における振替処理条件記憶部の構成の第五例を示す図である。
【図１７】実施の形態２における金融取引処理フローを示す図である。
【図１８】実施の形態２における振替処理要求生成処理フローを示す図である。
【図１９】実施の形態３における金融取引装置の構成を示す図である。
【図２０】実施の形態３における振替処理条件登録フローを示す図である。
【図２１】実施の形態３における振替処理条件記憶部の構成の第一例を示す図である。
【図２２】実施の形態３における振替処理条件記憶部の構成の第二例を示す図である。
【図２３】実施の形態３における振替処理条件記憶部の構成の第三例を示す図である。
【図２４】実施の形態３における振替処理条件記憶部の構成の第四例を示す図である。
【図２５】実施の形態３における振替処理条件記憶部の構成の第五例を示す図である。
【図２６】実施の形態３における金融取引処理フローを示す図である。
【図２７】実施の形態３における振替処理要求生成処理フローを示す図である。
【図２８】実施の形態４における金融取引装置の構成を示す図である。
【図２９】実施の形態４における振替処理条件登録フローを示す図である。
【図３０】実施の形態４における振替処理条件記憶部の構成の第一例を示す図である。
【図３１】実施の形態４における振替処理条件記憶部の構成の第二例を示す図である。
【図３２】実施の形態４における振替処理条件記憶部の構成の第三例を示す図である。
【図３３】実施の形態４における振替処理条件記憶部の構成の第四例を示す図である。
【図３４】実施の形態４における振替処理条件記憶部の構成の第五例を示す図である。
【図３５】実施の形態４における金融取引処理フローを示す図である。
【図３６】実施の形態４における振替処理要求生成処理フローを示す図である。
【符号の説明】
１　振替処理条件登録部、２　振替処理条件記憶部、３　取引処理選択部、４入金処理要求入力部、５　振替処理要求生成部、６　入金処理指示部、７　入金処理実行部、８　振替処理指示部、９　振替処理実行部、１０　出金処理要求入力部、１１　出金処理指示部、１２　出金処理実行部、１３　引落処理要求入力部、１４　引落処理指示部、１５　引落処理実行部、１６　振込処理要求入力部、１７　振込処理指示部、１８　振込処理実行部。
【図１】
2004005346.tif 000003
【図２】
2004005346.tif 000004
【図３】
2004005346.tif 000005
【図４】
2004005346.tif 000006
【図５】
2004005346.tif 000007
【図６】
2004005346.tif 000008
【図７】
2004005346.tif 000009
【図８】
2004005346.tif 000010
【図９】
2004005346.tif 000011
【図１０】
2004005346.tif 000012
【図１１】
2004005346.tif 000013
【図１２】
2004005346.tif 000014
【図１３】
2004005346.tif 000015
【図１４】
2004005346.tif 000016
【図１５】
2004005346.tif 000017
【図１６】
2004005346.tif 000018
【図１７】
2004005346.tif 000019
【図１８】
2004005346.tif 000020
【図１９】
2004005346.tif 000021
【図２０】
2004005346.tif 000022
【図２１】
2004005346.tif 000023
【図２２】
2004005346.tif 000024
【図２３】
2004005346.tif 000025
【図２４】
2004005346.tif 000026
【図２５】
2004005346.tif 000027
【図２６】
2004005346.tif 000028
【図２７】
2004005346.tif 000029
【図２８】
2004005346.tif 000030
【図２９】
2004005346.tif 000031
【図３０】
2004005346.tif 000032
【図３１】
2004005346.tif 000033
【図３２】
2004005346.tif 000034
【図３３】
2004005346.tif 000035
【図３４】
2004005346.tif 000036
【図３５】
2004005346.tif 000037
【図３６】
2004005346.tif 000038